(57)【特許請求の範囲】
【請求項１】
装置本体に設けたロック受けと、前記装置本体に対し開閉可能なカバーフレームに設けたロックレバーとの係合により前記カバーフレームをロックし、カバーフレームが開閉する動作方向は、前記ロック受けと前記ロックレバーとの間に荷重による摩擦を生じさせる方向であり、かつ前記カバーフレームの動作方向に回動するとともに前記ロック受けと前記ロックレバーとの係合を解除する取手を設けたロック装置において、
前記ロックレバーは前記カバーフレームに固定されたロックレバー回転軸に回転可能に設けられ、
前記取手は、前記カバーフレームに固定された取手回転軸に回転可能に設けられ、
更に、前記ロックレバーと一体として回転可能に設けられる受動側リンク金具と、
前記取手と一体として回転可能に設けられ、前記受動側リンク金具に押圧可能に設けられる駆動側リンク金具とを有し、
前記ロック受けと前記ロックレバーとの係合を解除するための前記取手の動作方向は、前記カバーフレームを開放するための前記カバーフレームの動作方向と４５度以上異なり、
その結果、前記取手の動作により、前記取手に掛かる力における前記カバーフレームの動作方向と同じ方向への分力が前記ロック受けと前記ロックレバーとの間の前記荷重となることにより、
前記取手を前記取手の動作方向に動作させると、前記駆動側リンク金具が回転することにより前記受動側リンク金具を回転させ、これにより前記ロックレバーと前記ロック受けとの係合を解除することを特徴とするロック装置。
【請求項２】
前記駆動側リンク金具を前記受動側リンク金具の反対方向に付勢している取手リセットスプリングと、
前記受動側リンク金具を前記駆動側リンク金具の方向に付勢しているロックレバーリセットスプリングを設けたことにより前記駆動側リンク金具と前記受動側リンク金具との隙間を設けたことを特徴とする請求項１記載のロック装置。
【発明の詳細な説明】
【技術分野】
【０００１】
本発明は装置本体に対するカバーフレームをロック及びこれを解除するロック装置に関するものである。
【背景技術】
【０００２】
従来、装置本体に対するカバーフレームをロック及びこれを解除するロック装置には、図９に示すロック装置がある。図９は従来のロック装置を示す拡大側面図である。同図（ａ）はロック状態を示し、同図（ｂ）はロック解除状態を示す。装置本体６１にはカバーフレーム６２が図示しない蝶番を中心に開閉可能に設けられている。カバーフレーム６２のカバー開方向は矢印Ａで示す。カバーフレーム６２にはロックレバー回転軸５４が固定され、装置本体６１にはロック受け５３が固定されている。ロックレバー回転軸５４はロックレバー５２と受動側リンク金具６３を一体として回転可能に支持している。ロックレバー５２と受動側リンク金具６３が一体として回転可能であるので、受動側リンク金具６３が矢印Ｃ方向に移動すると、ロックレバー５２は矢印Ｄ方向に移動する。
【０００３】
ロックレバー回転軸５４には、ロックレバーリセットスプリング５５が設けられ、ロックレバー５２と受動側リンク金具６３を一体として矢印Ｃの反対方向及び矢印Ｄの反対方向に付勢している。ロックレバー５２はフック状に形成され、ロックレバー係合部５２−１が円柱状に形成されたロック受け５３と係合することによりロック状態となる。従って、ロックレバー５２がロックレバーリセットスプリング５５の付勢力により矢印Ｄの反対方向に移動することにより、図９（ａ）に示すようにロックレバー５２とロック受け５３がロック状態を維持する。
【０００４】
更に、カバーフレーム６２には取手回転軸５８が固定されている。取手６７は取手回転軸５８を中心に回転可能である。操作者が取手６７を操作する操作方向は矢印Ｂに示す。これはカバーフレーム６２を開放する矢印Ａ方向がほぼ同じ方向である。取手回転軸５８は取手６７と駆動側リンク金具６４を一体として回転可能に支持している。取手６７と駆動側リンク金具６４は一体として回転可能であるので、取手６７が矢印Ｂ方向に移動すると、駆動側リンク金具６４は矢印Ｃ方向に移動する。駆動側リンク金具６４は受動側リンク金具６３を押圧可能に設けられている。取手回転軸５８には、取手リセットスプリング５９が設けられ、取手６７と駆動側リンク金具６４を一体として矢印Ｂの反対方向及び矢印Ｃの反対方向に付勢している。
【０００５】
ロック解除に際しては、操作者が図９（ｂ）に示すように取手６７を取手リセットスプリング５９の付勢力に抗して矢印Ｂ方向に移動させる。すると、取手６７は取手回転軸５８を中心に回転する。同時に駆動側リンク金具６４は取手６７と一体に回転する。駆動側リンク金具６４が矢印Ｃ方向に回転すると、駆動側リンク金具６４は受動側リンク金具６３を矢印Ｃ方向に押し下げる。受動側リンク金具６３がロックレバー回転軸５４を中心に矢印Ｃ方向に回転すると、同時に、ロックレバー５２が矢印Ｄ方向に回転する。これによりロックレバー５２はロック受け５３とのロック状態が解除される。こうして、操作者は取手６７を更に矢印Ａ方向に持ち上げ、カバーフレーム６２を開放することができる。
【０００６】
なお、特開平９−１４７１８５（特許文献１）には、現金自動取引装置等の電子機器において視覚障害者対応操作ユニットの取付けを容易にする操作部の構造に関する発明が記載されている。特許文献１の段落０００９及び図８によると、開閉するフロントパネル３と、ロックレバー１７の溝２２にはまるロックピン２１が記載されている。
【先行技術文献】
【特許文献】
【０００７】
【特許文献１】特開平９−１４７１８５号公報
【発明の概要】
【発明が解決しようとする課題】
【０００８】
しかしながら、図９に示した従来技術によれば、取手６７を操作する矢印Ｂ方向と、カバーフレーム６２を開放する矢印Ａ方向がほぼ同じ方向となっている。そのため操作者が取手６７を操作すると、ロックレバー５２が矢印Ｄ方向に動き出す前にカバーフレーム６２が矢印Ａ方向に動いてしまう。ロックレバー回転軸５４が設けられている位置が、ロックレバー係合部５２−１とロック受け５３の接触部分から矢印Ａ方向であるため、カバーフレーム６２の移動が、ロックレバー回転軸５４とロックレバー５２の移動につながるので、ロックレバー係合部５２−１を移動させることになる。
【０００９】
そうすると、ロックレバー係合部５２−１とロック受け５３の接触が開始され又は接触が強化され、両者間に荷重による摩擦が大きく生じることになる。もともと、操作者が取手６７を操作してロックレバー５２をロック解除するには、取手リセットスプリング５９とロックレバーリセットスプリング５５の付勢力に抗する必要がある。ロックレバー係合部５２−１とロック受け５３間との荷重による摩擦があると、これらを超える力で取手６７を取手操作方向へ回転させなければロックレバー５２をロック受け５３から外すことはできない。従って、カバーフレーム６２を開くことができないという問題がある。
【００１０】
本発明が解決しようとする課題は、カバーフレーム６２を容易に開くことができるロック装置を提供することを可能とするものである。
【課題を解決するための手段】
【００１１】
上記課題を解決するために本発明に関するロック装置は、装置本体に設けたロック受けと、前記装置本体に対し開閉可能なカバーフレームに設けたロックレバーとの係合により前記カバーフレームをロックし、カバーフレームが開閉する動作方向は、前記ロック受けと前記ロックレバーとの間に荷重による摩擦を生じさせる方向であり、かつ前記カバーフレームの動作方向に回動するとともに前記ロック受けと前記ロックレバーとの係合を解除する取手を設けたロック装置において、前記ロックレバーは前記カバーフレームに固定されたロックレバー回転軸に回転可能に設けられ、前記取手は、前記カバーフレームに固定された取手回転軸に回転可能に設けられ、更に、前記ロックレバーと一体として回転可能に設けられる受動側リンク金具と、前記取手と一体として回転可能に設けられ、前記受動側リンク金具に押圧可能に設けられる駆動側リンク金具とを有し、前記ロック受けと前記ロックレバーとの係合を解除するための前記取手の動作方向は、前記カバーフレームを開放するための前記カバーフレームの動作方向と４５度以上異なり、その結果、前記取手の動作により、前記取手に掛かる力における前記カバーフレームの動作方向と同じ方向への分力が前記ロック受けと前記ロックレバーとの間の前記荷重となることにより、前記取手を前記取手の動作方向に動作させると、前記駆動側リンク金具が回転することにより前記受動側リンク金具を回転させ、これにより前記ロックレバーと前記ロック受けとの係合を解除することを特徴とするものである。
【発明の効果】
【００１２】
上記構成を有する本発明によれば、前記カバーフレームを開放する方向と、前記ロック受けと前記ロックレバーとの係合を解除するための前記取手の動作方向を異ならせることとしたので、ロックレバーのロックレバー係合部とロック受けとの両者間に荷重による摩擦が大きく生じさせることなく、カバーフレームを容易に開くことができるロック装置を提供することが可能になる。
【図面の簡単な説明】
【００１３】
【図１】第１の実施の形態に関するロック装置を適用する現金処理機の外観図である。
【図２】第１の実施の形態に関するカバーフレームのロック装置を示す概略側面図である。
【図３】第１の実施の形態に関するロック装置を示す拡大側面図である。
【図４】第１の実施の形態に関するロック装置の取手に掛かる力の分力を示す説明図である。
【図５】第２の実施の形態に関するロック装置を示す拡大側面図である。
【図６】第３の実施の形態に関するロック装置を示す拡大側面図である。
【図７】第３の実施の形態の変形例１に関するロック装置を示す拡大側面図である。
【図８】第３の実施の形態の変形例２に関するロック装置を示す拡大側面図である。
【図９】従来のロック装置を示す拡大側面図である。
【発明を実施するための形態】
【００１４】
（第１の実施の形態）
以下、本発明の第１の実施の形態について説明する。図１は第１の実施の形態に関するロック装置を適用する現金処理機１０の外観図である。現金処理機１０は銀行等の金融機関における窓口装置として使用され、行員が操作することによって、紙幣及び硬貨の現金を取り扱うものである。装置本体１の上面はカバーフレーム２が設けられる。カバーフレーム２からなる上面は行員の操作のためにガイダンスを表示し、入力を受け付ける操作表示部３、紙幣の入出金を行う紙幣入出金口４及び硬貨の入出金を行う硬貨入出金口５が設けられる。装置本体１の前面には図示しない金庫の出し入れ等のための開閉扉６が設けられる。
【００１５】
カバーフレーム２は現金処理機１０の保守のため装置本体１から開閉可能となっている。カバーフレーム２の開閉は、前面に設けられた取手７を矢印Ａ方向に操作することにより行うことができる。
【００１６】
図２は第１の実施の形態に関するカバーフレーム２のロック装置を示す概略側面図である。図中左側が現金処理機１０の前面であり、図中右側が現金処理機１０の奥側である。カバーフレーム２の奥側には蝶番１１が設けられカバーフレーム２を回転可能に支持する。カバーフレーム２の前面には取手７が設けられる。操作者は取手７を操作することにより、次に説明するようにロックレバー１２とロック受け１３との係合を解除する。そして、カバーフレーム２を矢印Ａ方向に開放することができる。
【００１７】
図３は第１の実施の形態に関するロック装置を示す拡大側面図である。同図（ａ）はロック状態を示し、同図（ｂ）はロック解除状態を示す。カバーフレーム２のカバー開方向は矢印Ａで示す。カバーフレーム２にはロックレバー回転軸１４が固定され、装置本体１にはロック受け１３が固定されている。ロックレバー回転軸１４はロックレバー１２と受動側リンク金具１６を一体として回転可能に支持している。ロックレバー１２と受動側リンク金具１６が一体として回転可能であるので、受動側リンク金具１６が矢印Ｃ方向に移動すると、ロックレバー１２は矢印Ｄ方向に移動する。
【００１８】
ロックレバー回転軸１４には、ロックレバーリセットスプリング１５が設けられ、受動側リンク金具１６とロックレバー１２を一体として矢印Ｃの反対方向及び矢印Ｄの反対方向に付勢している。ロックレバー１２はフック状に形成され、ロックレバー係合部１２−１が円柱状に形成されたロック受け１３と係合することによりロック状態となる。従って、ロックレバー１２がロックレバーリセットスプリング１５の付勢力により矢印Ｄの反対方向に移動することにより、図３（ａ）に示すようにロックレバー１２とロック受け１３がロック状態を維持する。
【００１９】
更に、カバーフレーム２には取手回転軸１８が固定されている。取手７は取手回転軸１８を中心に回転可能である。操作者が取手７を操作する操作方向は矢印Ｂ１に示す。これはカバーフレーム２を開放する矢印Ａ方向と４５度異なる方向である。なお、ここでは４５度異なる方向とするが、角度は４５度以上であればよい。取手回転軸１８は取手７と駆動側リンク金具１７を一体として回転可能に支持している。取手７と駆動側リンク金具１７は一体として回転可能であるので、取手７が矢印Ｂ１方向に移動すると、駆動側リンク金具１７は矢印Ｃ方向に移動する。駆動側リンク金具１７は受動側リンク金具１６を矢印Ｃ方向に押圧可能に設けられている。取手回転軸１８には、取手リセットスプリング１９が設けられ、取手７と駆動側リンク金具１７を一体として矢印Ｂ１の反対方向及び矢印Ｃの反対方向に付勢している。
【００２０】
ロック解除に際しては、操作者が図３（ｂ）に示すように取手７を取手リセットスプリング１９の付勢力に抗して矢印Ｂ１方向に移動させる。すると、取手７は取手回転軸１８を中心に回転する。同時に駆動側リンク金具１７は取手７と一体に回転する。駆動側リンク金具１７が矢印Ｃ方向に回転すると、駆動側リンク金具１７は受動側リンク金具１６を矢印Ｃ方向に押し下げる。受動側リンク金具１６がロックレバー回転軸１４を中心に矢印Ｃ方向に回転すると、同時に、ロックレバー１２が矢印Ｄ方向に回転する。これによりロックレバー１２はロック受け１３とのロック状態が解除される。こうして、操作者は取手７を更に矢印Ａ方向に持ち上げ、カバーフレーム２を開放することができる。
【００２１】
図４は第１の実施の形態に関するロック装置の取手７に掛かる力の分力を示す説明図である。矢印Ａは蝶番１１を中心にしてカバーフレーム２が開く方向である。矢印Ｂは従来の取手６７を操作する力を示し、仮に矢印Ａと同方向とする。矢印Ｂ１は第１の実施の形態の取手７を操作する力を示す。矢印Ｂ１は、矢印Ａ方向の分力として矢印Ｂ１ｙ及びこれに直角な方向の分力として矢印Ｂ１ｘに分解できる。従って、第１の実施の形態においては、取手７を操作する力のうち矢印Ａ方向の分力は、Ｂ−Ｂ１ｙだけ減少することができることになる。
【００２２】
即ち、第１の実施の形態によれば、ロックレバー係合部１２−１とロック受け１３間との荷重による摩擦がＢ−Ｂ１ｙだけ減少することができる。よって、カバーフレーム２を容易に開くことができる。
【００２３】
（第２の実施の形態）
次に、本発明の第２の実施の形態について説明する。図５は第２の実施の形態に関するロック装置を示す拡大側面図である。同図（ａ）はロック状態を示し、同図（ｂ）はロック解除状態を示す。カバーフレーム２のカバー開方向は矢印Ａで示す。カバーフレーム２にはロックレバー回転軸１４が固定され、装置本体１にはロック受け１３が固定されている。ロックレバー回転軸１４はロックレバー１２と受動側リンク金具１６を一体として回転可能に支持している。ロックレバー１２と受動側リンク金具１６が一体として回転可能であるので、受動側リンク金具１６が矢印Ｃ方向に移動すると、ロックレバー１２は矢印Ｄ方向に移動する。
【００２４】
ロックレバー回転軸１４には、ロックレバーリセットスプリング１５が設けられ、受動側リンク金具１６とロックレバー１２を一体として矢印Ｃの反対方向及び矢印Ｄの反対方向に付勢している。ロックレバー１２はフック状に形成され、ロックレバー係合部１２−１が円柱状に形成されたロック受け１３と係合することによりロック状態となる。従って、ロックレバー１２がロックレバーリセットスプリング１５の付勢力により矢印Ｄの反対方向に移動することにより、図５（ａ）に示すようにロックレバー１２とロック受け１３がロック状態を維持する。
【００２５】
更に、カバーフレーム２には取手回転軸１８が固定されている。取手２７は取手回転軸１８を中心に回転可能である。操作者が取手２７を操作する操作方向は矢印Ｂ２に示す。これはカバーフレーム２を開放する矢印Ａ方向と９０度異なる方向である。取手回転軸１８は取手２７と駆動側リンク金具１７を一体として回転可能に支持している。取手２７と駆動側リンク金具１７は一体として回転可能であるので、取手２７が矢印Ｂ２方向に移動すると、駆動側リンク金具１７は矢印Ｃ方向に移動する。駆動側リンク金具１７は受動側リンク金具１６を矢印Ｃ方向に押圧可能に設けられている。取手回転軸１８には、取手リセットスプリング１９が設けられ、取手２７と駆動側リンク金具１７を一体として矢印Ｂ２の反対方向及び矢印Ｃの反対方向に付勢している。
【００２６】
ロック解除に際しては、操作者が図５（ｂ）に示すように取手２７を取手リセットスプリング１９の付勢力に抗して矢印Ｂ２方向に移動させる。すると、取手２７は取手回転軸１８を中心に回転する。同時に駆動側リンク金具１７は取手２７と一体に回転する。駆動側リンク金具１７が矢印Ｃ方向に回転すると、駆動側リンク金具１７は受動側リンク金具１６を矢印Ｃ方向に押し下げる。受動側リンク金具１６がロックレバー回転軸１４を中心に矢印Ｃ方向に回転すると、同時に、ロックレバー１２が矢印Ｄ方向に回転する。これによりロックレバー１２はロック受け１３とのロック状態が解除される。こうして、操作者は取手２７を矢印Ａ方向に持ち上げ、カバーフレーム２を開放することができる。
【００２７】
第２の実施の形態においては、操作者が取手２７を操作する操作方向はカバーフレーム２を開放する矢印Ａ方向と９０度異なる方向であるので、取手２７を操作する力のうち矢印Ａ方向の分力はゼロに等しい。以上のように、第２の実施の形態によれば、ロックレバー係合部１２−１とロック受け１３間との荷重による摩擦が生じさせないようにすることができる。よって、カバーフレーム２を容易に開くことができる。
【００２８】
（第３の実施の形態）
次に、本発明の第３の実施の形態について説明する。図６は第３の実施の形態に関するロック装置を示す拡大側面図である。同図（ａ）はロック状態を示し、同図（ｂ）はロック解除状態を示す。カバーフレーム２のカバー開方向は矢印Ａで示す。カバーフレーム２にはロックレバー回転軸１４が固定され、装置本体１にはロック受け１３が固定されている。ロックレバー回転軸１４はロックレバー１２と受動側リンク金具１６を一体として回転可能に支持している。ロックレバー１２と受動側リンク金具１６が一体として回転可能であるので、受動側リンク金具１６が矢印Ｃ方向に移動すると、ロックレバー１２は矢印Ｄ方向に移動する。
【００２９】
ロックレバー回転軸１４には、ロックレバーリセットスプリング１５が設けられ、受動側リンク金具１６とロックレバー１２を一体として矢印Ｃの反対方向及び矢印Ｄの反対方向に付勢している。ロックレバー１２はフック状に形成され、ロックレバー係合部１２−１が円柱状に形成されたロック受け１３と係合することによりロック状態となる。従って、ロックレバー１２がロックレバーリセットスプリング１５の付勢力により矢印Ｄの反対方向に移動することにより、図６（ａ）に示すようにロックレバー１２とロック受け１３がロック状態を維持する。
【００３０】
更に、カバーフレーム２には取手移動ガイド３８が固定されている。取手３７は移動ガイド３８に沿ってスライド可能である。操作者が取手３７を操作する操作方向は矢印Ｂ３に示す。これはカバーフレーム２を開放する矢印Ａ方向と約１８０度異なる方向である。取手移動ガイド３８は取手３７と駆動側リンク金具３２を一体としてスライド可能に支持している。取手３７と駆動側リンク金具３２は一体としてスライド可能であるので、取手３７が矢印Ｂ３方向に移動すると、駆動側リンク金具３２は矢印Ｃ方向に移動する。駆動側リンク金具３２は受動側リンク金具１６を矢印Ｃ方向に押圧可能に設けられている。取手３７と駆動側リンク金具３２の下部には取手リセットスプリング３９が設けられ、取手３７と駆動側リンク金具３２を一体として矢印Ｂ３の反対方向及び矢印Ｃの反対方向に付勢している。
【００３１】
ロック解除に際しては、操作者が図６（ａ）に示すように取手３７を取手リセットスプリング３９の付勢力に抗して矢印Ｂ３方向に移動させる。取手３７は取手移動ガイド３８に沿って移動する。同時に、図６（ｂ）に示すように駆動側リンク金具３２は取手３７と一体に移動する。駆動側リンク金具３２が矢印Ｂ３方向に移動すると、駆動側リンク金具３２は受動側リンク金具１６を矢印Ｃ方向に押し下げる。受動側リンク金具１６がロックレバー回転軸１４を中心に矢印Ｃ方向に回転すると、同時に、ロックレバー１２が矢印Ｄ方向に回転する。これによりロックレバー１２はロック受け１３とのロック状態が解除される。そうして、操作者はカバーフレーム２のカバーフレーム底部２−１を矢印Ａ方向に持ち上げ、カバーフレーム２を開放することができる。
【００３２】
第３の実施の形態においては、操作者が取手３７を操作する操作方向はカバーフレーム２を開放する矢印Ａ方向と１８０度異なる方向であるので、取手３７を操作する力のうち矢印Ａ方向の分力はゼロである。以上のように、第３の実施の形態によれば、ロックレバー係合部１２−１とロック受け１３間との荷重による摩擦が生じさせないようにすることができる。よって、カバーフレーム２を容易に開くことができる。また、第３の実施の形態によれば、回転部分としての取手回転軸１８を設ける必要がないので構造が簡単なロック装置を提供することができる。
【００３３】
（第３の実施の形態の変形例１）
前記第３の実施の形態では、取手３７を操作する操作方向を矢印Ａ方向と１８０度異なる方向とするのに、取手３７をスライド可能に支持するものについて説明したが、本発明はこれに限らない。図７は第３の実施の形態の変形例１に関するロック装置を示す拡大側面図である。カバーフレーム２のカバー開方向は矢印Ａで示す。カバーフレーム２にはロックレバー回転軸１４が固定され、装置本体１にはロック受け１３が固定されている。ロックレバー回転軸１４はロックレバー４２と受動側リンク金具４６を一体として回転可能に支持している。ロックレバー４２と受動側リンク金具４６が一体として回転可能であるので、受動側リンク金具４６が矢印Ｅ方向に移動すると、ロックレバー４２は矢印Ｆ方向に移動する。矢印Ｅ方向及び矢印Ｆ方向は前記第３の実施の形態の矢印Ｃの反対方向及び矢印Ｄの反対方向である。
【００３４】
ロックレバー回転軸１４には、ロックレバーリセットスプリング１５が設けられ、受動側リンク金具４６とロックレバー４２を一体として矢印Ｅの反対方向及び矢印Ｆの反対方向に付勢している。ロックレバー４２はフック状に形成され、ロックレバー係合部４２−１が円柱状に形成されたロック受け１３と係合することによりロック状態となる。従って、ロックレバー４２がロックレバーリセットスプリング１５の付勢力により矢印Ｆの反対方向に移動することにより、図７に示すようにロックレバー４２とロック受け１３がロック状態を維持する。
【００３５】
更に、カバーフレーム２には取手回転軸１８が固定されている。取手４７は取手回転軸１８を中心に回転可能である。操作者が取手４７を操作する操作方向は矢印Ｂ３に示す。これはカバーフレーム２を開放する矢印Ａ方向と約１８０度異なる方向である。取手回転軸１８は取手４７と駆動側リンク金具４５を一体として回転可能に支持している。取手４７と駆動側リンク金具４５は一体として回転可能であるので、取手４７が矢印Ｂ３方向に移動すると、駆動側リンク金具４５は矢印Ｅ方向に移動する。駆動側リンク金具４５は受動側リンク金具４６を矢印Ｅ方向に押圧可能に設けられている。取手回転軸１８には、取手リセットスプリング１９が設けられ、取手４７と駆動側リンク金具４５を一体として矢印Ｂ３の反対方向及び矢印Ｅの反対方向に付勢している。
【００３６】
ロック解除に際しては、操作者が図７に示すように取手４７を取手リセットスプリング１９の付勢力に抗して矢印Ｂ３方向に移動させる。すると、取手４７は取手回転軸１８を中心に回転する。同時に駆動側リンク金具４５は取手４７と一体に矢印Ｅ方向に回転する。駆動側リンク金具４５が矢印Ｅ方向に回転すると、駆動側リンク金具４５は受動側リンク金具４６を矢印Ｅ方向に押し上げる。受動側リンク金具４６がロックレバー回転軸１４を中心に矢印Ｅ方向に回転すると、同時に、ロックレバー４２が矢印Ｆ方向に回転する。これによりロックレバー４２はロック受け１３とのロック状態が解除される。こうして、操作者は取手４７を矢印Ｂ３方向に押し下げ、カバーフレーム２のカバーフレーム底部２−１を矢印Ａ方向に持ち上げることにより、カバーフレーム２を開放することができる。
【００３７】
第３の実施の形態の変形例１においては、操作者が取手４７を操作する操作方向はカバーフレーム２を開放する矢印Ａ方向と１８０度異なる方向であるので、取手４７を操作する力のうち矢印Ａ方向の分力はゼロに等しい。以上のように、第３の実施の形態の変形例１によれば、ロックレバー係合部４２−１とロック受け１３間との荷重による摩擦が生じさせないようにすることができる。よって、カバーフレーム２を容易に開くことができる。
【００３８】
（第３の実施の形態の変形例２）
前記第３の実施の形態の変形例１では、取手４７を操作する操作方向を矢印Ａ方向と１８０度異なる方向とするのに、取手４７を取手回転軸１８を中心に回転可能に設けるものであるが、本発明はこれに限らない。図８は第３の実施の形態の変形例２に関するロック装置を示す拡大側面図である。カバーフレーム２のカバー開方向は矢印Ａで示す。カバーフレーム２にはロックレバー回転軸１４が固定され、装置本体１にはロック受け１３が固定されている。ロックレバー回転軸１４はロックレバー１２と取手一体リンク金具４８を一体として回転可能に支持している。ロックレバー１２と取手一体リンク金具４８が一体として回転可能であるので、取手一体リンク金具４８が矢印Ｂ３方向に移動すると、ロックレバー１２は矢印Ｄ方向に移動する。
【００３９】
ロックレバー回転軸１４には、ロックレバーリセットスプリング１５が設けられ、取手一体リンク金具４８とロックレバー１２を一体として矢印Ｂ３の反対方向及び矢印Ｄの反対方向に付勢している。ロックレバー１２はフック状に形成され、ロックレバー係合部１２−１が円柱状に形成されたロック受け１３と係合することによりロック状態となる。従って、ロックレバー１２がロックレバーリセットスプリング１５の付勢力により矢印Ｄの反対方向に移動することにより、図８に示すようにロックレバー１２とロック受け１３がロック状態を維持する。
【００４０】
更に、取手５７は取手一体リンク金具４８の先端に形成され、ロックレバー回転軸１４を中心に回転可能である。操作者が取手５７を操作する操作方向は矢印Ｂ３に示す。これはカバーフレーム２を開放する矢印Ａ方向と約１８０度異なる方向である。取手５７は取手一体リンク金具４８と一体として回転可能であるので、取手５７が矢印Ｂ３方向に移動すると、取手一体リンク金具４８も矢印Ｂ３方向に移動する。
【００４１】
ロック解除に際しては、操作者が図８に示すように取手５７をロックレバーリセットスプリング１５の付勢力に抗して矢印Ｂ３方向に移動させる。すると、取手一体リンク金具４８は取手５７と一体に回転する。取手一体リンク金具４８が矢印Ｂ３方向に回転すると、ロックレバー１２が矢印Ｄ方向に回転する。これによりロックレバー１２はロック受け１３とのロック状態が解除される。こうして、操作者は取手５７を矢印Ｂ３方向に押し下げ、カバーフレーム２のカバーフレーム底部２−１を矢印Ａ方向に持ち上げることにより、カバーフレーム２を開放することができる。
【００４２】
第３の実施の形態の変形例２においては、操作者が取手５７を操作する操作方向はカバーフレーム２を開放する矢印Ａ方向と１８０度異なる方向であるので、取手５７を操作する力のうち矢印Ａ方向の分力はゼロに等しい。以上のように、第３の実施の形態の変形例１によれば、ロックレバー係合部１２−１とロック受け１３間との荷重による摩擦が生じさせないようにすることができる。よって、カバーフレーム２を容易に開くことができる。また、第３の実施の形態の変形例１によれば、取手回転軸１８及び取手リセットスプリング１９、更には取手移動ガイド３８を設ける必要がないので構造が簡単なロック装置を提供することができる。
【符号の説明】
【００４３】
１      装置本体
２      カバーフレーム
７      取手
１０    現金処理機
１１    蝶番
１２    ロックレバー
１３    ロック受け
１４    ロックレバー回転軸
１５    ロックレバーリセットスプリング
１６    受動側リンク金具
１７    駆動側リンク金具
１８    取手回転軸
１９    取手リセットスプリング
【図１】
0005838623.tif 000002
【図２】
0005838623.tif 000003
【図３】
0005838623.tif 000004
【図４】
0005838623.tif 000005
【図５】
0005838623.tif 000006
【図６】
0005838623.tif 000007
【図７】
0005838623.tif 000008
【図８】
0005838623.tif 000009
【図９】
0005838623.tif 000010